(57)【要約】      （修正有）【課題】高さを変更可能な仕切部材等を提供する。【解決手段】仕切部材１は、下側部材２と、上側部材３とを備え、下側部材２は、一対の支柱２１，２１と、一対の支柱２１の下端側同士を連結する横材２２と、一対の支柱２１と横材２２との間に設けられた遮蔽材（帆布２３）と、高さ調整機構４とを備え、上側部材３は、一対の支柱３１，３１と、一対の支柱３１の上端側同士を連結する横材３２と、一対の支柱３１と横材３２との間に設けられた遮蔽材（メッシュ生地３３）とを備え、下側部材２の一対の支柱２１の先端側と上側部材３の一対の支柱３１の先端側とが係合されて、当該支柱２１，３１の中心軸に沿って移動自在に構成され、高さ調整機構４は、上側部材３の一対の支柱３１の移動を規制することにより高さを決定でき、かつ、仕切部材１の高さを変更できるように構成されたことを特徴とする。【選択図】図１
2018186714.tif 000002
【特許請求の範囲】
【請求項１】
下側部材と、上側部材とを備え、
下側部材は、一対の支柱と、一対の支柱の下端側同士を連結する横材と、一対の支柱と横材との間に設けられた遮蔽材と、高さ調整機構とを備え、
上側部材は、一対の支柱と、一対の支柱の上端側同士を連結する横材と、一対の支柱と横材との間に設けられた遮蔽材とを備え、
下側部材の一対の支柱の先端側と上側部材の一対の支柱の先端側とが係合されて、上側部材の一対の支柱が下側部材の一対の支柱に対して当該支柱の中心軸に沿って移動自在に構成され、
高さ調整機構は、上側部材の一対の支柱の移動を規制することにより高さを決定でき、かつ、上側部材の一対の支柱の移動を許容して仕切部材の高さを変更できるように構成されたことを特徴とする仕切部材。
【請求項２】
請求項１の記載の仕切部材が、横に並ぶように、３つ以上連結されることで形成されたことを特徴とするペットサークル。
【発明の詳細な説明】
【技術分野】
【０００１】
本発明は、高さ調整可能な仕切部材、及び、当該仕切部材を用いたペットサークルに関する。
【背景技術】
【０００２】
従来、３つ以上の仕切部材としてのパネルを横に横に並ぶように連結して形成されたペットサークルが知られている(例えば、特許文献１等参照）。
【先行技術文献】
【特許文献】
【０００３】
【特許文献１】特開２００９−１３６２５３号公報
【発明の概要】
【発明が解決しようとする課題】
【０００４】
従来の仕切部材は、高さが一定であり、高さを変更したいという要望に応えることができないという課題があった。また、仕切部材を用いてペットサークルを形成した場合、犬の成長に合わせて仕切部材の高さを調整することができず、犬が仕切部材を飛び越えてしまうという課題があった。
本発明は、上記課題に鑑みてなされたもので、高さを変更可能な仕切部材、及び、ペットサークルを提供するものである。
【課題を解決するための手段】
【０００５】
本発明に係る仕切部材は、下側部材と、上側部材とを備え、下側部材は、一対の支柱と、一対の支柱の下端側同士を連結する横材と、一対の支柱と横材との間に設けられた遮蔽材と、高さ調整機構とを備え、上側部材は、一対の支柱と、一対の支柱の上端側同士を連結する横材と、一対の支柱と横材との間に設けられた遮蔽材とを備え、下側部材の一対の支柱の先端側と上側部材の一対の支柱の先端側とが係合されて、上側部材の一対の支柱が下側部材の一対の支柱に対して当該支柱の中心軸に沿って移動自在に構成され、高さ調整機構は、上側部材の一対の支柱の移動を規制することにより高さを決定でき、かつ、上側部材の一対の支柱の移動を許容して仕切部材の高さを変更できるように構成されたことを特徴とする。
また、本発明に係るペットサークルは、前記仕切部材が、横に並ぶように、３つ以上連結されることで形成されたことを特徴とする。
【発明の効果】
【０００６】
本発明に係る仕切部材によれば、高さを変更可能な仕切部材を提供できる。
また、本発明に係るペットサークルによれば、前記仕切部材が、横に並ぶように、３つ以上連結されることで形成されたので、各仕切部材を高さを個別に変更できるようになり、犬の成長に合わせて仕切部材の高さを調整することができるようになって、犬が仕切部材を飛び越えてしまうといった課題に対処可能となる。
【図面の簡単な説明】
【０００７】
【図１】仕切部材を示す分解斜視図。
【図２】（ａ）は伸長状態の仕切部材、（ｂ）縮小状態の仕切部材を示す斜視図。
【図３】仕切部材を用いて形成されたペットサークルを示す斜視図。
【図４】（ａ）は伸長状態の仕切部材、（ｂ）縮小状態の仕切部材を示す斜視図。
【発明を実施するための形態】
【０００８】
実施形態１
図１に示すように、実施形態１に係る仕切部材１は、分離可能に設けられた下側部材２と上側部材３とを備え、上側部材３が下側部材２に対して上下方向に移動可能に設けられた構成である。
【０００９】
下側部材２は、一対の支柱２１，２１と、一対の支柱２１，２１の下端側同士を連結する横材２２と、一対の支柱２１，２１と横材２２との間に設けられた遮蔽材としての例えば帆布（テント生地）２３と、高さ調整機構４とを備えた構成である。
上側部材３は、一対の支柱３１，３１と、一対の支柱３１，３１の上端側同士を連結する横材３２と、一対の支柱３１，３１と横材３２との間に設けられた遮蔽材としての例えばメッシュ生地３３とを備えた構成である。
即ち、下側部材２は、一対の支柱２１，２１の各下端と横材２２の両端とがそれぞれ９０°エルボ管のような接続管２４，２４により接続されたコ字状フレーム２５と、このコ字状フレーム２５の一対の支柱２２，２１と横材２２との間に張られた遮蔽材としての帆布（テント生地）２３と、高さ調整機構４とを備えた構成である。
また、上側部材３は、一対の支柱３１，３１の各上端と横材３２の両端とがそれぞれ９０°エルボ管のような接続管３４，３４により接続されたコ字状フレーム３５と、このコ字状フレーム３５の一対の支柱３１，３１と横材３２との間に張られた遮蔽材としてのメッシュ生地３３とを備えた構成である。
【００１０】
そして、下側部材２の一対の支柱２１，２１の先端側である上端側と上側部材３の一対の支柱３１，３１の先端側である下端側とが係合されて、上側部材３の一対の支柱３１，３１が下側部材２の一対の支柱２１，２１に対して支柱２１，２１の中心軸に沿って移動自在に構成されている。例えば、下側部材２及び上側部材３の一対の支柱２１，２１，３１，３１及び横材２２，３２は、円管（パイプ）により形成され、上側部材３の支柱３１の下側部分３１ａの外径寸法は、下側部材２の支柱２１の内径寸法よりも小さい寸法に形成され、上側部材３の支柱３１の下側部分３１ａが下側部材２の支柱２１の内側に挿入されて上側部材３の一対の支柱３１が下側部材２の一対の支柱２１に対して支柱２１の中心軸に沿って移動自在に構成されている。上側部材３の支柱３１における横材３２に近い側である上側部分３１ｂの外径寸法は、下側部材２の支柱２１の内径寸法よりも大きい寸法に形成されている。
【００１１】
帆布２３は、例えば、一対の支柱２１，２１と横材２２との間の大きさに対応した四角形形状の下辺部分が横材２２に巻き付けられて連結され、かつ、左右の横辺部分における上下側部分が各支柱２１，２１に巻き付けられて連結されている。
メッシュ生地３３は、一対の支柱３１，３１と横材３２との間の大きさに対応した四角形形状の上辺部分が横材３２に巻き付けられて連結され、かつ、左右の横辺部分における上側部分が各支柱３１，３１の上側部分３１ｂ（大径部分）に巻き付けられて連結されている。
【００１２】
高さ調整機構４は、上側部材３の一対の支柱３１の上下方向の移動を規制することにより、下側部材２の横材２２と上側部材３の横材３２との間の距離で規定される仕切部材１の高さを決定でき、かつ、上側部材３の支柱３１の上下方向の移動を許容して、仕切部材１の高さを変更できるように構成されている。
例えば、高さ調整機構４は、下側部材２の支柱２１の管内に挿入された上側部材３の支柱３１の下側部分３１ａの外面と下側部材２の支柱２１の内面とを密着させることにより、上側部材３の支柱３１の上下方向の移動を規制するとともに、上側部材３の支柱３１の下側部分３１ａの外面と下側部材２の支柱２１の内面との密着状態を解除することにより、上側部材３の支柱３１の上下方向の移動を許容して、仕切部材１の高さを変更できるように構成されている。
具体的な高さ調整機構４としては、下側部材２の支柱２１，２１の上端部には、図外のねじ部が形成されているともに図外の縦割り部が形成されており、当該ねじ部に螺合するナット部４１（図１参照）を上方に移動させることで下側部材２の支柱２１の内面を上側部材３の支柱３１の下側部分３１ａの外面に密着させて上側部材３の支柱３１の上下方向の移動を規制し、ねじ部に螺合するナット部４１を下方に移動させることで下側部材２の支柱２１の内面が上側部材３の支柱３１の下側部分３１ａの外面から離れて上側部材３の支柱３１の上下方向の移動を許容するように構成されている。
即ち、仕切部材１は、図２（ａ）に示すように高さを高くしたり、図２（ｂ）に示すように高さを低くしたりできるように構成されている。
【００１３】
そして、上側部材３のメッシュ生地３３と下側部材２の帆布２３とが重なり合った状態で互いに離反しないようにメッシュ生地３３及び帆布２３の互いに対向する面には、面ファスナー等の接着部２６，３６が設けられており、メッシュ生地３３及び帆布２３の接着部２６，３６同士を接着することで、メッシュ生地３３と帆布２３とが重合状態に維持されるようになっている（図２（ｂ）参照）。
【００１４】
そして、図３に示すように、３つ以上の仕切部材１，１，１…を、横に並べて、互いに隣り合う仕切部材１の支柱２１，２１同士、及び、支柱３１，３１同士をそれぞれ連結部材４９，４９…で連結し、かつ、両端側の仕切部材１，１の支柱２１，２１同士、及び、支柱３１，３１同士をそれぞれ連結部材４９で連結することにより、３つ以上の仕切部材１，１，１…で空間を囲むペットサークル、即ち、３つ以上の仕切部材で囲まれた空間を形成するペットサークル、例えば、図３に示すような六角柱形状の囲まれた空間を形成するペットサークル５０を形成できる。
【００１５】
尚、連結部材４９は、例えば、図３に示すような、互いに隣り合う仕切部材１の支柱２１，２１や支柱３１，３１を把持する把持部４８，４８を備えたものを用いればよい。
また、互いに隣り合う仕切部材１の支柱２１，２１同士を連結する連結部材４９は、帆布２３が巻き付けられていない支柱２１の中間部分に取付けられ、互いに隣り合う仕切部材１の支柱３１，３１同士を連結する連結部材４９は、帆布２３が巻き付けられていない支柱３１の上側部分３１ｂに取付けられる。
【００１６】
実施形態１に係る仕切部材１によれば、高さを変更可能な仕切部材１を提供できる。
そして、当該仕切部材１が、横に並ぶように、３つ以上連結されることで、各仕切部材１，１…の高さを個別に変更でき、犬の成長に合わせて仕切部材１，１…の高さを調整することができるようになって、例えば成長した犬が仕切部材１，１…を飛び越えてしまうといった課題に対処可能なペットサークル５０を形成することができるようになる。
また、仕切部材１の遮蔽材として帆布２３とメッシュ生地３３とを用いたので、メッシュ生地３３により通気性を向上させることができ、帆布２３にデザイン画を印刷するなどによって意匠性を向上させることが可能となる。
また、実施形態１に係る仕切部材１によれば、下側部材２と上側部材３とが分離可能に構成されているので、コンパクト化が可能となって、運搬しやすいものとなる。
【００１７】
実施形態２
実施形態１では、分離可能に設けられた下側部材２と上側部材３とを備え仕切部材１を例示したが、図４に示すように、下側部材２の帆布２３と上側部材３のメッシュ生地３３とが互いに結合されて下側部材２と上側部材３とが分離不能となった構成の仕切部材１としてもよい。尚、符号２９は、帆布２３とメッシュ生地３３との境界である。
実施形態２の仕切部材１では、図４（ａ）に示すように、仕切部材１の高さが最大に設定された状態で下側部材２の帆布２３と上側部材３のメッシュ生地３３とが上下方向に張った状態となって上側部材３の上方への移動が規制され、上側部材３が下方に移動して帆布２３が重なり合った状態で互いに離反しないように、帆布２３の一方の面には、面ファスナー等の接着部２７，２８が設けられており、図４（ｂ）に示すように、重なり合った帆布２３の接着部２７，２８同士を接着することで、帆布２３が重合状態に維持されるようになっている。
実施形態２に係る仕切部材１であっても、実施形態1と同様に、高さを変更可能な仕切部材１を提供できるとともに、犬の成長に合わせて仕切部材１，１…の高さを調整することができるようになって、犬が仕切部材１，１…を飛び越えてしまうといった課題に対処可能なペットサークル５０を形成することができるようになる。
また、実施形態２に係る仕切部材１によれば、下側部材２と上側部材３とが一体に構成されているので、部材を少なくでき、運搬しやすいものとなる。
【００１８】
実施形態３
３つ以上の仕切部材１，１…で囲まれた空間を形成するペットサークル５０の床を形成する図外の床材の外周部を仕切部材１，１…の各支柱２１の下端に連結することにより、床付きペットサークルを形成するようにしてもよい。
例えば、床材としての床シートの外周部に支柱２１を貫通させる貫通孔を形成しておいて、当該貫通孔に支柱を貫通させることで、床材の外周部を仕切部材１，１…の各支柱２１の下端に連結すればよい。
【００１９】
実施形態４
仕切部材１をペットサークルの天板として使用してもよい。
【００２０】
実施形態５
仕切部材１を単独で使用する場合、ベース(起立補助部）を介して立設するようにすれば、安定な仕切部材、ペットサークルを提供できる。
【符号の説明】
【００２１】
１  仕切部材、２  下側部材、３  上側部材、４  高さ調整機構、２１  支柱、
２２  横材、２３  帆布（遮蔽材）、３１  支柱、３２  横材、
３３  メッシュ生地（遮蔽材）、５０  ペットサークル。
【図１】
2018186714.tif 000003
【図２】
2018186714.tif 000004
【図３】
2018186714.tif 000005
【図４】
2018186714.tif 000006